(57)【要約】  【課題】ネットワーク上で不要なトラヒックを発生させることなく、現用系呼制御装置および予備系呼制御装置間でより確実に運用情報の同期をとることのできる技術を提供する。  【解決手段】現用系呼制御装置１は、運用情報登録端末３から運用情報セグメントを受信した場合に、この運用情報セグメントを自装置１の運用情報記憶部１５に登録すると共に、予備系呼制御装置２に転送する。これを受けて、予備系呼制御装置２は、現用系呼制御装置１から受信した運用情報セグメントを自装置２の運用情報記憶部２５に登録する。【選択図】図１
2008244570.tif 000002
【特許請求の範囲】
【請求項１】
現用系呼制御装置と、少なくとも１台の予備系呼制御装置と、を有するＩＰ電話システムであって、
前記現用系呼制御装置は、
外部から運用情報を受け付ける運用情報受付手段と、
前記運用情報受付手段で前記運用情報を受け付けた場合に、当該運用情報を自装置に登録すると共に、前記予備系呼制御装置各々に転送する運用情報登録・転送手段と、を有し、
前記予備系呼制御装置は、
前記現用系呼制御装置から前記運用情報を受信する運用情報受信手段と、
前記運用情報受信手段で受信した前記運用情報を自装置に登録する運用情報登録手段と、を有する
ことを特徴とするＩＰ電話システム。
【請求項２】
請求項１に記載のＩＰ電話システムであって、
前記予備系呼制御装置は、
前記運用情報登録手段による前記運用情報の自装置への登録結果を前記現用系呼制御装置に送信する登録結果応答手段をさらに有し、
前記運用情報登録・転送手段は、
前記運用情報の転送先である前記予備系呼制御装置より受信した登録結果が登録失敗を示している場合、あるいは当該予備系呼制御装置よりの登録結果の受信がタイムアウトした場合に、当該予備系呼制御装置に、前記運用情報を再度転送する
ことを特徴とするＩＰ電話システム。
【請求項３】
請求項２に記載のＩＰ電話システムであって、
前記運用情報登録・転送手段は、
前記運用情報の自装置に対する登録結果、および前記予備系呼制御装置に対する登録結果を、当該運用情報の送信元に送信する
ことを特徴とするＩＰ電話システム。
【請求項４】
請求項１乃至３のいずれか一項に記載の現用系呼制御装置。
【請求項５】
現用系呼制御装置および予備系呼制御装置間の運用情報の同期方法であって、
前記現用系呼制御装置が、外部から運用情報を受け付けた場合に、当該運用情報を自装置に登録すると共に、前記予備系呼制御装置に転送し、
前記予備系呼制御装置が、前記現用系呼制御装置から前記運用情報を受信した場合に、当該受信した前記運用情報を自装置に登録する
ことを特徴とする運用情報の同期方法。
【発明の詳細な説明】
【技術分野】
【０００１】
本発明は、呼制御装置の冗長構成を備えたＩＰ電話システムに関し、特に、現用系呼制御装置および予備系呼制御装置間の運用情報の同期技術に関する。
【背景技術】
【０００２】
特許文献１には、呼制御装置の冗長構成を備えたＩＰ電話システムが開示されている。このシステムにおいて、現用系呼制御装置は、運用情報登録端末あるいは電話端末によって自装置に登録された運用情報に従い、システムの制御を行う。また、現用系制御装置は、定期的に、あるいは運用情報登録端末からの指示により、自装置に登録されている運用情報をＩＰパケットに格納して予備系呼制御装置に送信する。
【０００３】
また、予備系呼制御装置は、現用系呼制御装置からＩＰパケットを受信し、このＩＰパケットに格納されている運用情報を登録する。また、予備系呼制御装置は、現用系呼制御装置の稼動状態を監視し、現用系呼制御装置の故障を検出した場合には、自装置に登録されている運用情報に従い、システムの制御を行う（システム系統切替）。
【０００４】
【特許文献１】特開２００４−７２２５６号公報
【発明の開示】
【発明が解決しようとする課題】
【０００５】
上述したように、特許文献１に記載のＩＰ電話システムは、現用系制御装置が、定期的に、あるいは運用情報登録端末からの指示により、自装置に登録されている運用情報をＩＰパケットに格納して予備系呼制御装置に送信することで、予備系呼制御装置と運用情報の同期をとっている。このため、次の問題が生ずる。
【０００６】
現用系制御装置が、定期的に、自装置に登録されている運用情報を予備系呼制御装置に送信することで、予備系呼制御装置と運用情報の同期をとる場合において、運用情報登録端末あるいは電話端末によって自装置に新たな運用情報が登録されてから、次の同期タイミングとなるまでに、システム系切替が実施された場合、現用系呼制御装置に新たに登録された運用情報が予備系呼制御装置に反映されず、システム系切替前後でシステムの動作が一致しなくなる。例えば、運用情報登録端末から現用系呼制御装置に対し、電話端末の情報を新規追加する運用情報を登録したが、この運用情報を予備系呼制御装置に送信する前にシステム切替が実施された場合、システム系切替前に使用できていた新規追加電話端末がシステム切替後に使用できなくなる。
【０００７】
また、定期的に、自装置に登録されている運用情報を予備系呼制御装置に送信すると、ネットワーク上で不要なトラヒックが発生し、呼制御装置および電話端末間、あるいは電話端末間で送受している呼制御情報、音声情報のＩＰパケットの伝送を妨げ、システムの動作に支障をきたす場合もある。
【０００８】
また、現用系制御装置が、運用情報登録端末からの指示に従い、自装置に登録されている運用情報を予備系呼制御装置に送信することで、予備系呼制御装置と運用情報の同期をとる場合では、運用情報登録端末のユーザが、運用情報登録端末からその指示を現用系呼制御装置に送信するための必要な操作を忘れてしまった場合に、現用系呼制御装置に新たに登録された運用情報が予備系呼制御装置に反映されず、システム系切替前後でシステムの動作が一致しなくなる。
【０００９】
本発明は、上記事情に鑑みてなされたものであり、本発明の目的は、ネットワーク上で不要なトラヒックを発生させることなく、現用系呼制御装置および予備系呼制御装置間でより確実に運用情報の同期をとることのできる技術を提供することにある。
【課題を解決するための手段】
【００１０】
上記課題を解決するために、本発明において、現用系呼制御装置は、外部から運用情報を受信した場合に、この運用情報を自装置に登録すると共に、予備系呼制御装置に転送する。そして、予備系呼制御装置が現用系呼制御装置から受信した運用情報を自装置に登録する。
【００１１】
例えば、本発明は、現用系呼制御装置と、少なくとも１台の予備系呼制御装置と、を有するＩＰ電話システムであって、
前記現用系呼制御装置は、
外部から運用情報を受け付ける運用情報受付手段と、
前記運用情報受付手段で前記運用情報を受け付けた場合に、当該運用情報を自装置に登録すると共に、前記予備系呼制御装置各々に転送する運用情報登録・転送手段と、を有し、
前記予備系呼制御装置は、
前記現用系呼制御装置から前記運用情報を受信する運用情報受信手段と、
前記運用情報受信手段で受信した前記運用情報を自装置に登録する運用情報登録手段と、を有する。
【発明の効果】
【００１２】
本発明によれば、現用系呼制御装置および予備系呼制御装置間における運用情報等の定期送信によってネットワーク上で不要なトラヒックを発生させることなく、現用系呼制御装置および予備系呼制御装置間でより確実に運用情報の同期をとることができる。また、運用情報等を設定する端末装置において、現用系呼制御装置および予備系呼制御装置への運用情報等の登録状態やネットワーク状態を迅速に把握できるようになるため、保守性に富んだシステムを構築することができるようになる。
【発明を実施するための最良の形態】
【００１３】
以下、本発明の実施の形態を説明する。
【００１４】
図１は、本発明の一実施の形態が適用されたＩＰ電話システムの概略図である。
【００１５】
図示するように、本実施の形態のＩＰ電話システムは、現用系呼制御装置１と、少なくとも１台の予備系呼制御装置２と、少なくとも１台の運用情報登録端末３と、複数のＩＰ電話端末４と、を有する。現用系呼制御装置１、予備系呼制御装置２、およびＩＰ電話端末４は、ＬＡＮ（イーサネット（登録商標））５を介して相互接続されている。
【００１６】
現用系呼制御装置１は、自装置に登録されている運用情報に従い、ＩＰ電話端末４間の呼制御を行う。
【００１７】
予備系呼制御装置２は、現用系呼制御装置１に故障等の障害が発生した場合に、自装置に登録されている運用情報に従い、ＩＰ電話端末４間の呼制御を行う。なお、図１では、呼制御装置の冗長構成を３重化した場合を例示している。すなわち、予備系１の予備系呼制御装置２は、現用系呼制御装置１の障害時に、ＩＰ電話端末４間の呼制御を行う。そして、予備系２の予備系呼制御装置２は、現用系呼制御装置１および予備系１の予備系呼制御装置２の双方に障害が発生した場合に、ＩＰ電話端末４間の呼制御を行う。
【００１８】
運用情報登録端末３は、現用系呼制御装置１に運用情報を登録するのに用いる端末である。運用情報登録端末３は、ＬＡＮ５を介して現用系呼制御装置１に接続されるもの（例えばＩＰ電話端末等）でもよいし、あるいは、ＲＳ−２３２Ｃ等のシリアル通信インターフェースにより現用系呼制御装置１に直接接続されるものでもよい。
【００１９】
ＩＰ電話端末４は、現用系呼制御装置１あるいは予備系呼制御装置２の呼制御により、相手端末との間に通話路を確立し、この通話路を用いて音声通信を行う。
【００２０】
次に、現用系呼制御装置１、および予備系呼制御装置２の詳細を説明する。なお、運用情報登録端末３、ＩＰ電話端末４には、既存のものを利用できるので、その詳細な説明を省略する。
【００２１】
先ず、現用系呼制御装置１を説明する。図２は、現用系呼制御装置１の概略図である。
【００２２】
図示するように、現用系呼制御装置１は、ＬＡＮインターフェース部１１と、シリアル通信インターフェース部１２と、運用情報格納処理部１３と、運用情報転送部１４と、運用情報記憶部１５と、呼制御部１６と、を有する。
【００２３】
ＬＡＮインターフェース部１１は、ＬＡＮ５と接続するためのインターフェースである。
【００２４】
シリアル通信インターフェース部１２は、シリアル通信端末と接続するためのインターフェースである。なお、運用情報登録端末３がシリアル通信端末でない場合、シリアル通信インターフェース部１２を省略してもよい。
【００２５】
運用情報格納処理部１３は、ＬＡＮインターフェース部１１あるいはシリアル通信インターフェース部１２を介して運用情報登録端末３から受信した運用情報を運用情報記憶部１５に登録する。また、運用情報記憶部１５に登録した運用情報を運用情報転送部１４に渡す。
【００２６】
運用情報転送部１４は、運用情報格納処理部１３から受け取った運用情報を、ＬＡＮインターフェース部１１を介して、各予備系呼制御装置２に転送する。
【００２７】
運用情報記憶部１５は、ＩＰ電話端末４の呼制御に必要な運用情報を記憶する。運用情報は、セグメント１５１単位で運用情報記憶部１５に登録される。ここで、セグメント１５１とは、運用情報登録端末３が、一つの登録操作（コマンドラインからコマンドを入力する、運用情報の登録ボタンを押す等）でユーザから受け付けることが可能な運用情報の単位（登録最小単位）である。運用情報登録端末３は、ユーザから登録操作を受け付ける毎に、登録対象となる運用情報を格納したセグメント１５１を現用系呼制御装置１に送信する。
【００２８】
呼制御部１６は、運用情報記憶部１５に記憶されている運用情報に基づいてＩＰ電話端末４間の呼制御を行う。
【００２９】
図３は、現用系呼制御装置１の動作を説明するためのフロー図である。
【００３０】
呼制御部１６は、ＬＡＮインターフェース部１１を介してＩＰ電話端末４から呼制御メッセージを受信すると（Ｓ１０１でＹＥＳ）、運用情報記憶部１５に記憶されている運用情報に従い、このＩＰ電話端末４の呼制御を行う（Ｓ１０２）。
【００３１】
また、運用情報格納処理部１３は、ＬＡＮインターフェース部１１あるいはシリアル通信インターフェース部１２を介して、運用情報登録端末３から運用情報セグメントを受信すると（Ｓ１０３でＹＥＳ）、これを運用情報記憶部１５に登録する（Ｓ１０４）。そして、その登録結果を運用情報セグメントの送信元に返信する（Ｓ１０５）。また、運用情報格納処理部１３は、運用情報登録端末３から受信した運用情報セグメントを運用情報転送部１４に渡す。
【００３２】
これを受けて、運用情報転送部１４は、ＬＡＮインターフェース部１１を介して、各予備系呼制御装置２に、運用情報セグメントを転送する（Ｓ１０６）。そして、各予備系呼制御装置２から、転送した運用情報セグメントの登録結果が送られてくるのを待つ（Ｓ１０７）。それから、運用情報転送部１４は、各予備系呼制御装置２における運用情報セグメントの登録結果を運用情報セグメントの送信元に送信する（Ｓ１０８）。ここで、ある予備系呼制御装置２から登録に失敗した旨の登録結果を受信した場合、もしくはこの予備系呼制御装置２からの登録結果の受信がタイムアウトした場合（Ｓ１０９でＮＯ）、この予備系呼制御装置２に対してＳ１０６〜Ｓ１０８の処理を繰り返す（Ｓ１０９）。
【００３３】
次に、予備系呼制御装置２を説明する。図４は、予備系呼制御装置２の概略図である。
【００３４】
図示するように、予備系呼制御装置２は、ＬＡＮインターフェース部２１と、運用情報格納処理部２３と、運用情報記憶部２５と、呼制御部２６と、運用情報登録結果応答部２７と、障害検出部２８と、を有する。
【００３５】
ＬＡＮインターフェース部２１は、ＬＡＮ５と接続するためのインターフェースである。
【００３６】
運用情報格納処理部２３は、ＬＡＮインターフェース部２１を介して現用系呼制御装置１から受信した運用情報を運用情報記憶部２５に登録する。また、その登録結果を運用情報登録結果応答部２７に渡す。
【００３７】
運用情報登録結果応答部２７は、運用情報格納処理部２３から運用情報の登録結果を受け取り、ＬＡＮインターフェース部２１を介して、現用系呼制御装置１にこの登録結果を送信する。
【００３８】
運用情報記憶部２５は、ＩＰ電話端末４の呼制御に必要な運用情報を記憶する。運用情報は、現用系呼制御装置１の運用情報記憶部１５と同様に、セグメント２５１単位で運用情報記憶部１５に登録される。
【００３９】
呼制御部２６は、運用情報記憶部２５に記憶されている運用情報に基づいてＩＰ電話端末４間の呼制御を行う。
【００４０】
障害検出部２８は、バックアップ対象の呼制御装置に対して、定期的にＰＩＮＧを送信するなどして、その応答を監視することにより、この呼制御装置の障害を検出する。図１において、予備系１の予備系呼制御装置２の場合、現用系呼制御装置１がバックアップ対象の呼制御装置となる。また、予備系２の予備系呼制御装置２の場合は、現用系呼制御装置１および予備系１の予備系呼制御装置２がバックアップ対象の呼制御装置となる。
【００４１】
図５は、予備系呼制御装置２の動作を説明するためのフロー図である。
【００４２】
障害検出部２８によりバックアップ対象の呼制御装置の障害が検出されている場合に（Ｓ２０１で「異常」）、呼制御部２６は、ＬＡＮインターフェース部２１を介してＩＰ電話端末４から呼制御メッセージを受信すると（Ｓ２０２でＹＥＳ）、運用情報記憶部２５に記憶されている運用情報に従い、このＩＰ電話端末４の呼制御を行う（Ｓ２０３）。
【００４３】
一方、障害検出部２８によりバックアップ対象の呼制御装置の障害が検出されてない場合に（Ｓ２０１で「正常」）、運用情報格納処理部２３は、ＬＡＮインターフェース部１１を介して、現用系呼制御装置１から運用情報セグメントを受信すると（Ｓ２０４でＹＥＳ）、これを運用情報記憶部２５に登録する（Ｓ２０５）。そして、その登録結果を現用系呼制御装置１に返信する（Ｓ２０６）。
【００４４】
次に、図１に示すＩＰ電話システムの動作例を説明する。
【００４５】
図６は、現用系呼制御装置１による運用情報セグメントの予備系呼制御装置２への登録が一回で成功した場合のシーケンスを示す図である。
【００４６】
運用情報登録端末３は、ユーザから運用情報が入力され、その登録操作を受け付けると（Ｓ３０１）、入力された運用情報を含む運用情報セグメントを生成し、これを現用系呼制御装置１に送信する（Ｓ３０２）。現用系呼制御装置１は、運用情報登録端末３より受信した運用情報セグメントを自装置１の運用情報記憶部１５に登録し（Ｓ３０３）、その登録結果を運用情報登録端末３に送信する（Ｓ３０４）。これを受けて、運用情報登録端末３は、現用系呼制御装置１の登録結果を表示する（Ｓ３０５）。
【００４７】
また、現用系呼制御装置１は、運用情報登録端末３より受信した運用情報セグメントを予備系呼制御装置２に転送する（Ｓ３０６）。予備系呼制御装置２は、現用系呼制御装置１より受信した運用情報セグメントを自装置２の運用情報記憶部２５に登録し（Ｓ３０７）、その登録結果を現用系呼制御装置１に送信する（Ｓ３０８）。現用系呼制御装置１は、予備系呼制御装置２から受信した登録結果を運用情報登録端末３に転送する（Ｓ３０９）。これを受けて、運用情報登録端末３は、予備系呼制御装置２の登録結果を表示する（Ｓ３１０）。
【００４８】
図８（Ａ）は、図６における運用情報登録端末３の表示画面例を示す図である。ここで、符号３０１は、Ｓ３０１でユーザから入力された運用情報「ＡＡＡ」を示している。また、符号３０２は、Ｓ３０５で表示された現用系呼制御装置１の登録結果「現用系呼制御装置登録：ＯＫ」を示している。そして、符号３０３は、Ｓ３１０で表示された予備系呼制御装置２の登録結果「予備系呼制御装置登録：ＯＫ」を示している。
【００４９】
図７は、現用系呼制御装置１による運用情報セグメントの予備系呼制御装置２への登録が二回目で成功した場合のシーケンスを示す図である。
【００５０】
運用情報登録端末３は、ユーザから運用情報が入力され、その登録操作を受け付けると（Ｓ４０１）、入力された運用情報を含む運用情報セグメントを生成し、これを現用系呼制御装置１に送信する（Ｓ４０２）。現用系呼制御装置１は、運用情報登録端末３より受信した運用情報セグメントを自装置１の運用情報記憶部１５に登録し（Ｓ４０３）、その登録結果を運用情報登録端末３に送信する（Ｓ４０４）。これを受けて、運用情報登録端末３は、現用系呼制御装置１の登録結果を表示する（Ｓ４０５）。
【００５１】
また、現用系呼制御装置１は、運用情報登録端末３より受信した運用情報セグメントを予備系呼制御装置２に転送する（Ｓ４０６）。ここで、ＬＡＮ５の瞬断等により、運用情報セグメントが予備系呼制御装置２に到達しなかったとする。この場合、現用系呼制御装置１は、予備系呼制御装置２からの登録結果の受信がタイムアウトし、登録失敗と判断する。そして、予備系呼制御装置２の登録結果（登録失敗）を、運用情報登録端末３に送信する（Ｓ４０７）。これを受けて、運用情報登録端末３は、予備系呼制御装置２の登録結果を表示する（Ｓ４０８）。
【００５２】
それから、現用系呼制御装置１は、運用情報登録端末３より受信した運用情報セグメントを予備系呼制御装置２に再度転送する（Ｓ４０９）。予備系呼制御装置２は、現用系呼制御装置１より運用情報セグメントを受信して、これを自装置２の運用情報記憶部２５に登録し（Ｓ４１０）、その登録結果（登録成功）を現用系呼制御装置１に送信する（Ｓ４１１）。現用系呼制御装置１は、予備系呼制御装置２から受信した登録結果を、運用情報登録端末３に転送する（Ｓ４１２）。これを受けて、運用情報登録端末３は、予備系呼制御装置２の登録結果を表示する（Ｓ４１３）。
【００５３】
図８（Ｂ）は、図７における運用情報登録端末３の表示画面例を示す図である。ここで、符号３５１は、Ｓ４０１でユーザから入力された運用情報「ＡＡＡ」を示している。また、符号３５２は、Ｓ４０５で表示された現用系呼制御装置１の登録結果「現用系呼制御装置登録：ＯＫ」を示している。また、符号３５３は、Ｓ４０８で表示された予備系呼制御装置２の登録結果「予備系呼制御装置登録：ＮＧ（再送）」を示している。そして、符号３５４は、Ｓ４１３で表示された予備系呼制御装置２の登録結果「予備系呼制御装置登録：ＯＫ」を示している。
【００５４】
このように、現用系呼制御装置１が予備系呼制御装置２に運用情報セグメントを転送／再送していることで、運用情報登録端末３（ユーザ）の処理負荷を低減させることができる。また、Ｓ４０５やＳ４０８のように、現用系呼制御装置１および予備系呼制御装置２の登録結果が運用情報登録端末３に表示されるので、運用情報登録端末３がＬＡＮ５に直接収容されるような形態においては、現用系呼制御装置１および予備系呼制御装置２の登録結果として双方に「ＮＧ（再送）」が頻発して表示されているような場合は、ネットワークに何らかの障害が発生しているものと推定することができ、一方、予備系呼制御装置２の登録結果のみ「ＮＧ（再送）」の場合は、予備系呼制御装置２に何らかの障害が発生しているものと推定することができる。また、運用情報登録端末３が現用系呼制御装置１に収容されているような形態において、現用系呼制御装置１の登録結果のみ「ＮＧ」の場合は、現用系呼制御装置１に何らかの障害が発生しているものと推定することができ、一方、予備系呼制御装置２の登録結果のみ「ＮＧ（再送）」の場合は、予備系呼制御装置２もしくはネットワークに何らかの障害が発生しているものと推定することができる。このため、障害切り分けの判断を容易に行うことができるようになる。
【００５５】
以上、本発明の実施の形態について説明した。
【００５６】
本実施の形態において、現用系呼制御装置１は、運用情報登録端末３から運用情報セグメントを受信した場合に、この運用情報セグメントを自装置１の運用情報記憶部１５に登録すると共に、予備系呼制御装置２に転送する。そして、予備系呼制御装置２が現用系呼制御装置１から受信した運用情報セグメントを自装置２の運用情報記憶部２５に登録する。したがって、本実施の形態によれば、ネットワーク上で不要なトラヒックを発生させることなく、現用系呼制御装置１および予備系呼制御装置２間でより確実に運用情報の同期を図ることができる。
【００５７】
また、本実施の形態において、ＬＡＮ５の瞬断等により運用情報セグメントの予備系呼制御装置２への登録に失敗した場合、現用系呼制御装置１は、この運用情報セグメントを予備系呼制御装置２に再度転送する。このため、本実施の形態によれば、現用系呼制御装置１および予備系呼制御装置２間でさらに確実に運用情報の同期を図ることができる。
【００５８】
また、本実施の形態では、運用情報セグメントの現用系呼制御装置１および予備系呼制御装置２各々への登録結果を、運用情報登録端末３の表示画面に表示するので、ユーザは、現用系呼制御装置１および予備系呼制御装置２間で運用情報の同期がとれているか否かを確認することができる。
【００５９】
なお、本発明は上記の実施形態に限定されるものではなく、その要旨の範囲内で数々の変形が可能である。例えば、現用系呼制御装置１、予備系呼制御装置２の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【００６０】
また、本実施の形態において、現用系呼制御装置１および予備系呼制御装置２に代えて、現用系呼制御装置１および予備系呼制御装置２の双方の機能を持たせた呼制御装置を用いてもよい。そして、運用系で動作すべきか、それとも予備系で稼動すべきかをこの呼制御装置に予め設定しておくようにしてもよい。
【００６１】
また、本実施の形態において、ＩＰ電話端末４に、現用系呼制御装置１への運用情報を登録する機能を持たせるようにしてもよい。この場合、運用情報登録端末３をシステムから省略することができる。
【図面の簡単な説明】
【００６２】
【図１】図１は、本発明の一実施の形態が適用されたＩＰ電話システムの概略図である。
【図２】図２は、現用系呼制御装置１の概略構成図である。
【図３】図３は、現用系呼制御装置１の動作を説明するためのフロー図である。
【図４】図４は、予備系呼制御装置２の概略図である。
【図５】図５は、予備系呼制御装置２の動作を説明するためのフロー図である。
【図６】図６は、現用系呼制御装置１による運用情報セグメントの予備系呼制御装置２への登録が一回で成功した場合のシーケンスを示す図である。
【図７】図７は、現用系呼制御装置１による運用情報セグメントの予備系呼制御装置２への登録が二回目で成功した場合のシーケンスを示す図である。
【図８】図８（Ａ）は、図６における運用情報登録端末３の表示画面例を示す図であり、図８（Ｂ）は、図７における運用情報登録端末３の表示画面例を示す図である。
【符号の説明】
【００６３】
１：現用系呼制御装置、２：予備系呼制御装置、３：運用情報登録端末、４：ＩＰ電話端末、５：ＬＡＮ、１１：ＬＡＮインターフェース部、１２：シリアル通信インターフェース部、１３：運用情報格納処理部、１４：運用情報転送部、１５：運用情報記憶部、１６：呼制御部、２１：ＬＡＮインターフェース部、２３：運用情報格納処理部、２５：運用情報記憶部、２６：呼制御部、２７：運用情報登録結果応答部、２８：障害検出部
【図１】
2008244570.tif 000003
【図２】
2008244570.tif 000004
【図３】
2008244570.tif 000005
【図４】
2008244570.tif 000006
【図５】
2008244570.tif 000007
【図６】
2008244570.tif 000008
【図７】
2008244570.tif 000009
【図８】
2008244570.tif 000010